(57)【要約】【課題】使用者の保管方法を問わず、いずれの方向からでも書類の内容の識別が可能なインデックス付書類整理用ファイルを提供することを目的とする。【解決手段】書類整理用ファイルの表面１０の左辺と裏面２０の右辺を、背面３０を介して接合する。その他の辺は接合しない。表面１０及び裏面２０の上辺と下辺と左辺と右辺の４つの端辺にそれぞれインデックス部４０を設ける。【選択図】図１
0003233137.tif 000002
【実用新案登録請求の範囲】
【請求項１】
上辺と下辺と左辺と右辺の４つの端辺の表裏両面に各々インデックス部を有することを特徴とする書類整理用ファイル。
【請求項２】
前記インデックス部が1本の縦線と２本の横線とから構成されたコの字型のインデクス枠と前記縦線から外側に前記横線と並行に引かれた仕切線とを備え、
前記インデックス枠の２本の横線の端部及び前記仕切線の端部が前記端辺のうち最近の端辺に内側から接するように配置されていることを特徴とする請求項１に記載の書類整理用ファイル。
【請求項３】
上辺以外の３つの端辺がそれぞれ接合され、上辺の端辺が開口している書類整理用ファイルであって、
上辺を除く表裏に配置されたインデックス部のうち少なくとも１組が、
共有する端辺を軸として展開した場合にその端辺を対称の軸として線対称に配置されていることを特徴とする請求項２に記載の書類整理用ファイル。
【請求項４】
上辺以外の３つの端辺がそれぞれ接合され、上辺の端辺が開口している書類整理用ファイルであって、
左辺又は右辺のいずれか1辺の表裏及び下辺の表裏に配置されたインデックス部が、
共有する端辺を軸として展開した場合に、その端辺を対称の軸として線対象に配置され、
左辺又は右辺のうちの他の１辺の表裏に配置されたインデックス部が、
共有する端辺を軸として展開した場合に、その共有する端辺の中点を対称の中心として点対称に配置されていることを特徴とする請求項書２に記載の書類類整理用ファイル。
【請求項５】
各端辺が表裏にそれぞれ２つのインデックス部を有することを特徴とする請求項１〜４のいずれか１項に記載の書類整理用ファイル。
【請求項６】
紙製であることを特徴とする請求項１〜５のいずれか１項に記載の書類整理用ファイル。
【考案の詳細な説明】
【技術分野】
【０００１】
本考案は、書類等を収納して整理・保管するためのインデックス付書類整理用ファイルに関するものである。
【背景技術】
【０００２】
書類等の保管に用いられる書類整理用ファイルには、書類棚等に収納された状態においても外部からその内容を識別することができるようにするため、インデックス部が設けられていることが一般的である。
【０００３】
また、書類棚等に収納された状態におけるファイルのインデックス部の視認性を向上させるため、実開昭６１−９１１７４号広報（以下「実用新案文献1」という。）にインデックス部に数条の折り畳み溝を設けたファイルが、特開２００２−１８２３９２号広報（以下「特許文献1」という。）にインデックス部の位置の変更が可能なファイルが、それぞれ開示されている。
【先行技術文献】
【特許文献】
【０００４】
【特許文献１】実開昭６１−９１１７４号広報
【特許文献２】特開２００２−１８２３９２号広報
【考案の概要】
【考案が解決しようとする課題】
【０００５】
しかしながら、実用新案文献１、特許文献1のファイルは、いずれもインデックス部をファイルの１辺にしか有しておらず、インデックス部を視認することのできる方向が限定されているため、ファイルの使用者は、おのずとインデックス部の向きに合わせた保管方法を採用せざるを得ないという問題があった。
【０００６】
そこで、本考案は上記の問題点を解決することを課題としており、使用者の保管方法を問わず、いずれの方向からでも書類の内容の識別が可能なインデックス付書類整理用ファイルを提供することを目的としている。
【課題を解決するための手段】
【０００７】
上記目的を達成するために、第１の本考案の書類整理用ファイルは、上辺と下辺と左辺と右辺の４つの端辺の表裏両面に各々インデックス部を有することを特徴とする。
【０００８】
ファイルが４つの端辺に各々インデックス部を有することによって、ファイルを書類棚等に収納する向きを問わず、インデックス部を視認することが可能となり、表裏両面にインデックス部を有することによって、ファイルを書類棚等に収納する向きを問わず、表裏いずれの方向からでもインデックス部を視認することが可能となる。
【０００９】
次に、第２の本考案は、第１の本考案において、インデックス部が1本の縦線と２本の横線とから構成されたコの字型の枠と、縦線から外側に横線と並行に引かれた仕切線とを備え、インデックス枠の２本の横線の端部及び仕切線の端部が端辺のうち最近の端辺に内側から接するように配置されていることを特徴とする。
【００１０】
インデックス部に仕切線を設けることによって、書類の内容に加え、書類の識別コード等の情報を別途記載する際に、仕切線によって閉じられた範囲内にその情報を記載することで、外部からの識別が一層容易となる。
【００１１】
次に、第３の本考案は、第２の本考案において、上辺以外の３つの端辺が接合され、上辺の端辺が開口しており、上辺を除く表裏に配置されたインデックス部のうち少なくとも１組が、共有する端辺を軸として展開した場合にその端辺を対称の軸として線対称に配置されていることを特徴とする。
【００１２】
ファイルに収納する書類の厚みが、インデックス部の前記横線の長さに比して一定以上の長さになると、ファイルの端辺部分が圧迫され、インデックス部をファイルの表方面又は裏方面から視認することが困難となるが、書類整理用ファイルが、共有する端辺を軸として展開した場合に、その端辺を対称の軸として線対称に配置されている表裏のインデックス部を有することによって、そのインデックス部については、ファイルの端辺部分が圧迫されることによって生じた側面方向から、表裏を合わせた１つのインデックス部として視認することが可能となる。
【００１３】
次に、第４の本考案は、第２の本考案において、上辺以外の３つの端辺が接合され、上辺の端辺が開口しており、左辺又は右辺のいずれか1辺の表裏及び下辺の表裏に配置されたインデックス部が、共有する端辺を軸として展開した場合に、その端辺を対称の軸として線対称に配置され、かつ、左辺又は右辺のうちの他の1辺の表裏に配置されたインデックス部が、共有する端辺を軸として展開した場合に、その共有する端辺の中点を対称の中心として点対称に配置されていることを特徴とする。
【００１４】
書類整理用ファイルが、共有する端辺を軸として展開した場合に、その端辺を対称の軸として線対称に配置されている表裏のインデックス部を有することによる効果は前述の通りである。
また、書類整理用ファイルが、共有する端辺を軸として展開した場合に、その共有する端辺の中点を対称の中心として点対称に配置されている表裏のインデックス部を有することにより、使用者がそのファイルを保管する際、ファイルの左辺又は右辺を書類棚等の底板方向に向けた状態で書類棚等に収納することを希望する場合に、ファイルの上辺（開口部）を書類棚等の正面又は背面方向のいずれに向けて保管した場合であっても、ファイルの表面又は裏面から視認できるインデックスの向き及び位置を統一して使用することが可能となる。
【００１５】
次に、第５の本考案は、第１〜４のいずれか一つの本考案において、各端辺が表裏にそれぞれ２つのインデックス部を有することを特徴とする。
【００１６】
各端辺が表裏にそれぞれ２つのインデックス部を有することによって、１辺のインデックス部により多くの情報を書き込むことができる。
【００１７】
次に、第６の本考案は、第１〜５のいずれか一つの本考案に係る書類整理用ファイルが紙製であることを特徴とする。
【００１８】
書類整理用ファイルを紙製とすることにより、安価で制作し、提供することができる。
【考案の効果】
【００１９】
本考案のインデックス付書類整理用ファイルは、使用者の保管方法を問わず、いずれの方向からでも書類の内容を容易に識別することができる。
【図面の簡単な説明】
【００２０】
【図１】本考案の第１実施形態に係るインデックス付書類整理用ファイルを示す展開図である。
【図２】本考案の第２実施形態に係るインデックス付書類整理用ファイルを示す展開図である。
【図３】本考案の第３実施形態に係るインデックス付書類整理用ファイルを示す展開図である。
【図４】本考案の第３実施形態に係るインデックス付書類整理用ファイルの使用状態を示す斜視図である。
【図５】本考案の第４実施形態に係るインデックス付書類整理用ファイルを示す展開図である。
【図６】本考案の第５実施形態に係るインデックス付書類整理用ファイルを示す展開図である。
【図７】本考案に係るインデックス付書類整理用ファイルの実施例を示す展開図である。
【考案を実施するための形態】
【００２１】
以下に本考案の好ましい実施の形態について図を用いて説明する。
【００２２】
（実施形態１）
図１は、本考案の第１実施形態（以下、「実施形態１」という。）に係るインデックス付書類整理用ファイルを示す展開図である。
実施形態１に係るインデックス付書類整理用ファイルは、表面１０の左辺と裏面２０の右辺が、背面３０を介して接合されている。その他の辺は接合されていない。表面１０と裏面２０は、上辺と下辺と左辺と右辺の４つの端辺にそれぞれインデックス部４０を有している。
使用者は、希望する保管状態に合わせて、インデックス部４０の内部に書類の内容を書き込むことによって、ファイルを書類棚等に収納する向き（例えば、背面３０を書類棚の底板方向や天板方向に向けて保管した場合など）を問わず、インデックス部４０の内部に記載した書類の内容を視認することが可能となる。
【００２３】
（実施形態２）
図２は、本考案の第２実施形態（以下、「実施形態２」という。）に係るインデックス付書類整理用ファイルを示す展開図である。
実施形態２に係るインデックス付書類整理用ファイルは、表面１２の左辺と裏面２２の右辺が、背面３２を介して接合されている。その他の辺は接合されていない。表面１２と裏面２２の上辺と下辺と左辺と右辺の４つの端辺には、それぞれインデックス部４２が設けられている。インデックス部４２は、内部に仕切線５２を有している。
使用者は、インデックス部４２の外枠と仕切線５２によって囲まれた２つの範囲内に、書類の内容と、書類の識別コード等の情報を分けて記載することができる。
【００２４】
（実施形態３）
図３は、本考案の第３実施形態（以下、「実施形態３」という。）に係るインデックス付書類整理用ファイルを示す展開図である。
実施形態３に係るインデックス付書類整理用ファイルは、表面１４の左辺と裏面２４の右辺が接合部８０ａで接合され、表面１４の右辺と裏面２４の左辺が接合部８０ｂで接合され、表面１４の下辺と裏面２４の下辺が接合部８０ｃで接合されている。表面１４の上辺と裏面２４の上辺は接合されていない。
表面１４の左辺には対称仕切線７０ａを内部に有する対称インデックス部６０ａが、表面１４の右辺には対称仕切線７０ｂを内部に有する対称インデックス部６０ｂがそれぞれ設けられている。対称インデックス部６０ａと対称インデックス部６０ｂは、共有する接合部８０ａ上の対称線９０を対称の軸として、線対称に配置されている。
表面１４の左辺を除く３辺及び裏面２４の右辺を除く３辺には、仕切線５２を内部に有するインデックス部４２がそれぞれ設けられている。
【００２５】
図４は、実施形態３に係るインデックス付書類整理用ファイルの使用状態を示す斜視図である。
実施形態３に係るインデックス付書類整理用ファイルは、ファイルを変形させ、下辺の両端部に余り代１００を設けることにより、立方体形状のファイルとして使用することができる。この場合、ファイルは紙などの変形が容易な素材で作成することが望ましい。
変形後は、表面の右辺及び裏面の左辺にそれぞれ設けられたインデックス部４２は変形により生じた側面部１１０ｂに位置することとなり、表面及び裏面の下辺にそれぞれ設けられたインデックス部４２は変形により生じた底面部１２０に位置することとなる。
対称線９０を対称の軸として線対称に配置されている対称インデックス部６０ａと対称インデックス部６０ｂは、変形後においては、一つの合成インデックス部１３０として、側面部１１０ａに位置する。
ファイルに収納する書類の厚みが、合成インデックス部１３０の外枠の横線の長さを超えるような場合、使用者は、ファイルを図４の状態に変形させることにより、側面部１１０ａの方向から、合成インデックス部１３０の内部に記載した書類の内容を視認することが可能となる。
【００２６】
（実施形態４）
図５は、本考案の第４実施形態（以下、「実施形態４」という。）に係るインデックス付書類整理用ファイルを示す展開図である。
実施形態４に係るインデックス付書類整理用ファイルは、表面１６の左辺と裏面２６の右辺が接合部８２ａで接合され、表面１６の右辺と裏面２６の左辺が接合部８２ｂで接合され、表面１６の下辺と裏面２６の下辺が接合部８２ｃで接合されている。表面１６の上辺と裏面２６の上辺は接合されていない。
表面１６の左辺には対称仕切線７２ａを内部に有する対称インデックス部６２ａが、表面１６の右辺には対称仕切線７２ｂを内部に有する対称インデックス部６２ｂがそれぞれ設けられている。対称インデックス部６２ａと対称インデックス部６２ｂは、共有する接合部８２ａ上の対称点１４０を対称の中心として、点対称に配置されている。対称点１４０は、接合部８２ａ上の対象線９２ａの中点である。
表面１６の右辺には対称仕切線７２ｃを内部に有する対称インデックス部６２ｃが、表面１６の左辺には対称仕切線７２ｄを内部に有する対称インデックス部６２ｄがそれぞれ設けられている。対称インデックス部６２ｃと対称インデックス部６２ｄは、共有する接合部８２ｂ上の対称線９２ｂを対称の軸として、線対称に配置されている。
表面１６の下辺には対称仕切線７２ｅを内部に有する対称インデックス部６２ｅが、表面１６の下辺には対称仕切線７２ｆを内部に有する対称インデックス部６２ｆがそれぞれ設けられている。対称インデックス部６２ｅと対称インデックス部６２ｆは、共有する接合部８２ｃ上の対称線９２ｃを対称の軸として、線対称に配置されている。
表面１６の上辺及び裏面２６の上辺には、仕切線５２を内部に有するインデックス部４２がそれぞれ設けられている。
【００２７】
（実施形態５）
図６は、本考案の第５実施形態（以下、「実施形態５」という。）に係るインデックス付書類整理用ファイルを示す展開図である。
実施形態５に係るインデックス付書類整理用ファイルは、表面１８の左辺と裏面２８の右辺が接合部８４ａで接合され、表面１８の右辺と裏面２８の左辺が接合部８４ｂで接合され、表面１８の下辺と裏面２８の下辺が接合部８４ｃで接合されている。表面１８の上辺と裏面２８の上辺は接合されていない。
表面１８と裏面２８は、上辺と下辺と左辺と右辺の４つの端辺に、１本の仕切線を内部に有するインデックス部４４をそれぞれ２つずつ有している。
【実施例】
【００２８】
以下に本考案の実施例について図を用いて説明する。
【００２９】
（実施例１）
図７は、本考案に係るインデックス付書類整理用ファイルの実施例を示す展開図である。
実施例に係るインデックス付書類整理用ファイルは、紙を袋状に貼り合わせたものである。また、表面１９の左辺と裏面２９の右辺が接合部８６ａで接合され、表面１９の右辺と裏面２９の左辺が接合部８６ｂで接合され、表面１９の下辺と裏面２９の下辺が接合部８６ｃで接合されている。表面１９の上辺と裏面２９の上辺は接合されていない。
表面１９と裏面２９は、上辺と下辺と左辺と右辺の４つの端辺に、３本の仕切線を内部に有するインデックス部４６をそれぞれ２つずつ有している。
表面１９には自由記載欄１５０が１つ、裏面２９には自由記載欄１５２が４つ設けられている。
また、各端辺が有する２つのインデックス部４６の間には、使用インデックス識別標識１６０がそれぞれ設けられている。使用者は、希望するファイルの収納方法に合わせ、上向きとなる端辺の方向と同一の方向を鋭角が指し示すインデックス識別標識１６０を近傍に有するインデックス部４６を選択して使用することで、収納状態と合致し、効果的に使用可能なインデックス部がいずれであるかを取り違えることがない。
【符号の説明】
【００３０】
１０  表面
１２  表面
１４  表面
１６  表面
１８  表面
１９  表面
２０  裏面
２２  裏面
２４  裏面
２６  裏面
２８  裏面
２９  裏面
３０  背面
３２  背面
４０  インデックス部
４２  インデックス部
４４  インデックス部
４６  インデックス部
５２  仕切線
６０ａ  対称インデックス部
６０ｂ  対称インデックス部
６２ａ  対称インデックス部
６２ｂ  対称インデックス部
６２ｃ  対称インデックス部
６２ｄ  対称インデックス部
６２ｅ  対称インデックス部
６２ｆ  対称インデックス部
７０ａ  対称仕切線
７０ｂ  対称仕切線
７２ａ  対称仕切線
７２ｂ  対称仕切線
７２ｃ  対称仕切線
７２ｄ  対称仕切線
７２ｅ  対称仕切線
７２ｆ  対称仕切線
８０ａ  接合部
８０ｂ  接合部
８０ｃ  接合部
８２ａ  接合部
８２ｂ  接合部
８２ｃ  接合部
８４ａ  接合部
８４ｂ  接合部
８４ｃ  接合部
８６ａ  接合部
８６ｂ  接合部
８６ｃ  接合部
９０  対称線
９２ａ  対称線
９２ｂ  対称線
９２ｃ  対称線
１００  余り代
１１０ａ  側面部
１１０ｂ  側面部
１２０  底面部
１３０  合成インデックス部
１４０  対称点
１５０  自由記載欄
１５２  自由記載欄
１６０  使用インデックス識別標識
【図１】
0003233137.tif 000003
【図２】
0003233137.tif 000004
【図３】
0003233137.tif 000005
【図４】
0003233137.tif 000006
【図５】
0003233137.tif 000007
【図６】
0003233137.tif 000008
【図７】
0003233137.tif 000009
【手続補正書】
【提出日】令和3年6月4日(2021.6.4)
【手続補正１】
【補正対象書類名】実用新案登録請求の範囲
【補正対象項目名】全文
【補正方法】変更
【補正の内容】
【実用新案登録請求の範囲】
【請求項１】
上辺と下辺と左辺と右辺の４つの端辺の表裏両面に各々インデックス部を有することを特徴とする書類整理用ファイル。
【請求項２】
前記インデックス部が1本の縦線と２本の横線とから構成されたコの字型のインデックス枠と前記縦線から外側に前記横線と並行に引かれた仕切線とを備え、
前記インデックス枠の２本の横線の端部及び前記仕切線の端部が前記端辺のうち最近の端辺に内側から接するように配置されていることを特徴とする請求項１に記載の書類整理用ファイル。
【請求項３】
上辺以外の３つの端辺がそれぞれ接合され、上辺の端辺が開口している書類整理用ファイルであって、
上辺を除く表裏に配置されたインデックス部のうち少なくとも１組が、
共有する端辺を軸として展開した場合にその端辺を対称の軸として線対称に配置されていることを特徴とする請求項２に記載の書類整理用ファイル。
【請求項４】
上辺以外の３つの端辺がそれぞれ接合され、上辺の端辺が開口している書類整理用ファイルであって、
左辺又は右辺のいずれか1辺の表裏及び下辺の表裏に配置されたインデックス部が、
共有する端辺を軸として展開した場合に、その端辺を対称の軸として線対象に配置され、
左辺又は右辺のうちの他の１辺の表裏に配置されたインデックス部が、
共有する端辺を軸として展開した場合に、その共有する端辺の中点を対称の中心として点対称に配置されていることを特徴とする請求項２に記載の書類類整理用ファイル。
【請求項５】
各端辺が表裏にそれぞれ２つのインデックス部を有することを特徴とする請求項１〜４のいずれか１項に記載の書類整理用ファイル。
【請求項６】
紙製であることを特徴とする請求項１〜５のいずれか１項に記載の書類整理用ファイル。